(57)【要約】【課題】乾燥のムラの発生を防止して効率よく洗濯物を乾燥させることができる洗濯乾燥機を提供する。【解決手段】外箱１０と、外箱１０内に収納した水槽２０と、水槽２０内に回転可能に配されて底部に給気孔６２を有する脱水槽３０と、脱水槽３０の底部に配されるパルセータ３３と、給気孔６２を介して脱水槽３０内に空気を供給する空気供給器８０とを備え、乾燥工程において、空気供給器８０を駆動して給気孔６２から空気を吹出す。【選択図】図１
2014188347.tif 000002
【特許請求の範囲】
【請求項１】
外箱と、前記外箱内に収納した水槽と、前記水槽内に回転可能に配されて底部に空気を供給するための給気孔を有する脱水槽と、前記脱水槽の底部に配されるパルセータと、前記給気孔を介して前記脱水槽内に少なくとも空気を供給する空気供給器とを備え、乾燥工程において前記空気供給器を駆動して前記給気孔から空気を吹出すことを特徴とする洗濯乾燥機。
【請求項２】
前記空気供給器と前記給気孔とを連結する給気経路に空気加熱用のヒータを設けたことを特徴とする請求項１に記載の洗濯乾燥機。
【請求項３】
前記脱水槽の上方に臨んで開口する吹出口から導出する吹出ダクト内に送風機及びヒータを備え、乾燥工程において前記送風機及び前記ヒータの駆動により昇温した空気を前記吹出口から前記脱水槽内に吹き出すことを特徴とする請求項１又は請求項２に記載の洗濯乾燥機。
【請求項４】
前記ヒータの駆動により昇温した空気を前記吹出ダクトから分岐させてベンチュリ効果を利用して前記空気供給器の送気圧力により前記給気孔へ送出することを特徴とする請求項３に記載の洗濯乾燥機。
【請求項５】
洗濯工程において前記空気供給器を駆動して前記給気孔から空気を吹出すことを特徴とする請求項１〜請求項４のいずれかに記載の洗濯乾燥機。
【発明の詳細な説明】
【技術分野】
【０００１】
本発明は洗濯物の洗濯及び乾燥を行う洗濯乾燥機に関する。
【背景技術】
【０００２】
従来の洗濯乾燥機１は図１２、図１３の概略断面図に示す通り、洗濯乾燥機１の外郭を形成する外箱１０内に上方を開口する有底筒状の水槽（外槽）２０を配置し、その水槽２０内には洗濯兼用脱水槽３０（以下、脱水槽という）が回転可能に内装され、その底部にはパルセータ３３が回転可能に配されている。なお、図１２の脱水槽３０は周壁３０ｂの上端部にのみ複数個の脱水孔（不図示）が設けられたいわゆる「孔なし」タイプであり、それ以外に液体を通すための開口部はない。また、図１３の脱水槽３０は周壁３０ｂ全体に複数個の脱水孔（不図示）が設けられたいわゆる「孔あり」タイプである。
【０００３】
また、外箱１０の後部には乾燥ユニット５０が設置される。乾燥ユニット５０は送風機５０ａ及びヒータ５０ｂを備える。乾燥工程時、乾燥ユニット５０は脱水槽３０の上方に臨んで開口する吹出口５１ｄから温風が脱水槽３０の内部へ向かって下方に吹き降ろす。
【０００４】
図１２の洗濯乾燥機１は洗濯工程において、吹出口５１ｄから脱水槽３０内部に温風が吹き込まれ、洗濯物に対して乾燥作用を及ぼして水分を取り、その後の温風の一部は、パルセータ３３と脱水槽３０との間の隙間から排水孔（不図示）を通って排水ダクト（不図示）に流れ出る。排水ダクトに出た温風は循環経路１００に流れ、乾燥ユニット５０に戻る。
【０００５】
また、図１３の洗濯乾燥機１は吹出口５１ｄから送り出された温風は脱水槽３０内部に吹き込まれ、図１２の洗濯乾燥機１と同様に脱水後の洗濯物に対して乾燥作用を及ぼして水分を取り、温風の一部は、脱水槽３０の周壁３０ｂに設けられた複数の脱水孔（不図示）から水槽２０側に抜け出して循環経路（空気ダクト）１００を通って乾燥ユニット５０に戻る。
【先行技術文献】
【特許文献】
【０００６】
【特許文献１】特開２０１０−１１９２４号公報
【特許文献２】特開２００７−２３６６４１号公報
【発明の概要】
【発明が解決しようとする課題】
【０００７】
しかしながら、上記従来の洗濯乾燥機によると、脱水工程後の洗濯物は脱水槽３０の回転による遠心力及び回転停止後の重力の作用で主に脱水槽３０の底面から壁面にかけて脱水した状態で張り付く。このため、吹出口５１ｄから脱水槽３０内部に送り込まれた温風は洗濯物の表面に吹き付けられ、脱水槽３０側に張り付いた洗濯物の裏面には温風が届き難い。したがって、洗濯物の表面が優先して乾燥し、洗濯物の表面と裏面とで乾燥度合いに差が生じるため、表裏面を十分に乾燥させるためには乾燥に時間がかかる問題があった。
【０００８】
本発明は洗濯物の乾燥度合いに差が生じることを抑制しながら洗濯物を乾燥させることを目的とする。
【課題を解決するための手段】
【０００９】
上記目的を達成するために本発明は、外箱と、前記外箱内に収納した水槽と、前記水槽内に回転可能に配されて底部に空気を供給するための給気孔を有する脱水槽と、前記脱水槽の底部に配されるパルセータと、前記給気孔を介して前記脱水槽内に少なくとも空気を供給する空気供給器とを備え、乾燥工程において前記空気供給器を駆動して前記給気孔から空気を吹出すことを特徴としている。
【００１０】
この構成によれば、乾燥工程が開始されると空気供給器によって脱水槽底部の給気孔から空気が脱水槽内に向かって吹出し、脱水槽或いはパルセータに張り付いた洗濯物を浮き上がらせながら乾燥が行われる。つまり、空気は洗濯物の底面を通過するとともにその一部は洗濯物内部（洗濯物の布目）を通過して乾燥を促す。また、空気の気流により洗濯物がなびく。これにより、洗濯物が機械的な動きをして乾燥が一層促進される。したがって、洗濯物は表裏面ともに空気に接して乾燥が促されるため表裏面の乾燥度合いの差が低減され、乾燥が促される。なお、給気孔から吹出す空気は常温であっても送風による乾燥が促される。また、給気孔から吹出す空気のみで洗濯物を乾燥するコース（底風乾燥コース）を選択することもできる。
【００１１】
また本発明は、上記構成の洗濯乾燥機において、前記空気供給器と前記給気孔とを連結する給気経路に空気加熱用のヒータを設けたことを特徴としている。
【００１２】
また、本発明の洗濯乾燥機は、上記構成において、前記脱水槽の上方に臨んで開口する吹出口から導出する吹出ダクト内に送風機及びヒータを備え、乾燥工程において前記送風機及び前記ヒータの駆動により昇温した空気を前記吹出口から前記脱水槽内に吹き出すことを特徴としている。
【００１３】
また、本発明の洗濯乾燥機は、上記構成の洗濯乾燥機において、前記ヒータの駆動により昇温した空気を前記吹出ダクトから分岐させてベンチュリ効果を利用して前記空気供給器の送気圧力により前記給気孔へ送出することを特徴としている。
【００１４】
また、本発明の洗濯乾燥機は、上記構成において、洗濯工程において前記空気供給器を駆動して前記給気孔から空気を吹出すことを特徴としている。この構成によると、洗濯工程において脱水槽内には洗濯水が溜められており、空気供給器によって吐出された空気が給気孔から脱水槽内に供給される。供給された空気は脱水槽内において気泡となって吹き出される。脱水槽内の洗濯物は気泡によって攪拌されるとともに気泡の衝突によるたたき洗いが行われる。これにより、気泡の衝突による機械的なたたき洗い効果が主な洗浄効果を生じ、これによる洗濯物の捻じれによる傷みの発生を抑制することができる。
【００１５】
また、本発明の洗濯乾燥機は、上記構成において、前記脱水槽の排水が前記給気孔を通って行われるとともに前記給気孔を覆って前記脱水槽の底面に対して密接する排水ダクトを備え、前記排水ダクトと前記空気供給器とが給気経路部材を介して連結されることを特徴としている。この構成によると、空気供給器によって吐出された空気の殆どが給気経路部材及び排水ダクトを経由して給気孔から脱水槽内に直接供給される。このため、供給された空気は脱水槽内において空気供給器の送気圧力に基づいて吹き出される。
【００１６】
また、本発明の洗濯乾燥機は、上記構成において、前記排水ダクト内に前記給気孔に導かれる気流の流路面積を減少させる絞り部を設けたことを特徴としている。
【００１７】
また、本発明の洗濯乾燥機は、上記構成において、前記パルセータは前記給気孔を覆って設けられるとともに前記給気孔に対応する位置に貫通孔が形成されたことを特徴としている。
【発明の効果】
【００１８】
本発明によると、乾燥工程において、空気供給器を駆動して給気孔から脱水槽内に空気を吹出すことにより、脱水槽或いはパルセータに張り付いた洗濯物を下方から吹き付けができ、洗濯物は表裏面ともに空気に接して乾燥が促される。したがって、洗濯物の表裏面の乾燥度合いの差が低減され、乾燥が促進される。
【図面の簡単な説明】
【００１９】
【図１】本発明の第１実施形態に係る洗濯乾燥機の概略構造を示す側面断面図
【図２ａ】本発明の第１実施形態に係る洗濯乾燥機の下部を拡大して示す断面図
【図２ｂ】本発明の第１実施形態に係る洗濯機の下部を拡大して部分的に示す断面図
【図３】本発明の第１実施形態に係る洗濯乾燥機のパルセータの斜視図
【図４】本発明の第１実施形態に係る洗濯乾燥機のパルセータの中心部を拡大して示す上面図
【図５】本発明の第１実施形態に係る洗濯乾燥機の給気ダクト部を上方から視た斜視図
【図６】本発明の第１実施形態に係る洗濯乾燥機の給気ダクト部を下方から視た斜視図
【図７】本発明の第２実施形態に係る洗濯乾燥機の概略構造を示す側面断面図
【図８】本発明の第３実施形態に係る洗濯乾燥機の概略構造を示す側面断面図
【図９】本発明の第３実施形態に係る洗濯乾燥機のベンチュリ管を拡大して示す概略図
【図１０】本発明の第４実施形態に係る洗濯乾燥機の概略構造を示す側面断面図
【図１１】本発明の第５実施形態に係る洗濯乾燥機の概略構造を示す側面断面図
【図１２】従来の洗濯乾燥機の概略構造を示す側面断面図
【図１３】従来の洗濯乾燥機の概略構造を示す側面断面
【発明を実施するための形態】
【００２０】
［第１実施形態］
以下、本発明の第１実施形態について図面を参照して説明する。図１は、第１実施形態に係る洗濯乾燥機の概略側面断面図であり、図中、左側が前面、右側が背面である。
【００２１】
洗濯乾燥機１は洗濯、脱水及び乾燥動作を行うことが出来る縦型全自動型洗濯乾燥機であり、従来の洗濯乾燥機と同様に、外郭となる外箱１０を備えている。外箱１０の内部には脱水槽３０と脱水槽３０を収納する水槽２０が収容されている。外箱１０の上部前面側には外箱１０と水槽２０の間の空間に底面乾燥コースに用いるエアポンプ８０が設けられている。このエアポンプ８０は本発明の空気供給器の一例である。また、外箱１０の背面側には併用乾燥コースに用いる乾燥ユニット５０が設けられている。外箱１０は略直方体に成形され、上面には上面板１１が配されている。上面板１１の前面側には洗濯乾燥機１の操作を行う操作部７１が設けられ、上面板１１の背面側にはバックパネル１４が装着されている。
【００２２】
また、操作部７１の下方には制御部（不図示）が設けられている。制御部は操作部７１による入力を受け付けるとともにパルセータ３３、脱水槽３０などの駆動を行う駆動ユニット４０、給水弁（不図示）及び排水弁６３の動作を制御する。
【００２３】
上面板１１の中央部には洗濯乾燥機１内に洗濯物を投入するための洗濯物投入口１１ａが開設されている。洗濯物投入口１１ａはバックパネル１４の前端部に設けたヒンジ部１５ａで枢支される蓋部１５によって開閉される。蓋部１５を上下に回動させて洗濯物投入口１１ａを開閉することにより、脱水槽３０に洗濯物を投入したり、脱水槽３０から洗濯物を取り出すことができる。また、蓋部１５の裏面にはハンガーフック１５ａが設けられている。ハンガーフック１５ａには衣類を掛けたハンガーを吊るしてハンガー乾燥を行うことができる。
【００２４】
また、上面板１１には洗濯物投入口１１ａの周囲から下方に延びる延設部１６が設けられる。延設部１６は環状に形成される略鉛直の鉛直部１６ａと鉛直部１６ａの下端から背面側に略水平に延びる水平部１６ｂとを有している。水平部１６ｂの下面には環状の蛇腹状の弾性体１７が取り付けられる。弾性体１７によって延設部１６と水槽２０の上面とが連結され、脱水槽３０の回転等による水槽２０の振動が吸収される。
【００２５】
また、延設部１６及び弾性体１７により洗濯物投入口１１ａの周囲と水槽２０の上面との間を遮蔽する遮蔽部が構成される。遮蔽部によって水槽２０と洗濯物投入口１１ａとの間に密閉空間が形成される。これにより、水槽２０の上面を開閉する内蓋を必要とせず、蓋部１５を閉じて洗濯及び乾燥を行うことができる。
【００２６】
外箱１０の後部の延設部１６上には乾燥ユニット５０が設置される。乾燥ユニット５０は延設部１６の鉛直部１６ａに吸込口５１が開口し、水平部１６ｂに吹出口５１ｄが開口する。吹出口５１ｄは下方に向かって脱水槽３０の内周壁に沿って温風を吹き出すように配置される。
【００２７】
また、吸込口５１と吹出口５１ｄとは吹出ダクト５４により連結され、吹出ダクト５４内に送風機（不図示）及びヒータ（不図示）が配されている。送風機は吹出口５１ｄから脱水槽３０に加熱した空気を供給する。吹出ダクト５４内の送風機の上流には外気に連通する外気導入ダクト５５が連結される。外気導入ダクト５５には開閉部材（不図示）が設けられている。また、鉛直部１６ａには排気口（不図示）が設けられ、排気口は外気に開放された排気ダクト５３に導出される。なお、排気ダクト５３と吹出ダクト５４とは連通していない。
【００２８】
また、バックパネル１４内の空間には電磁的に開閉する給水弁（不図示）が配置されている。給水弁の上流側に接続され、且つ上面板１１を貫通して上方に突き出す接続管（不図示）には水道水などの上水を供給する給水ホース（不図示）が接続される。また、給水弁の下流側は脱水槽３０の内部に臨む位置に配置された脱水槽３０に注水する注水口（不図示）に接続されている。なお、注水口は、図示しない風呂水ポンプを介して汲み上げられる風呂水を注水可能に構成されている。
【００２９】
水槽２０は外箱１０に対してサスペンション部材（不図示）によって吊り下げられる。サスペンション部材は水槽２０の外面下部と外箱１０の内面コーナー部とを連結する形で計４箇所に配備され、水槽２０を水平部内で揺動できるように支持している。
【００３０】
脱水槽３０は底面３０ａから上方に向かってテーパ状に広がる周壁３０ｂを有している。この周壁３０ｂは上端部にのみ環状に配置した複数個の脱水孔３１を設けており、それ以外に液体を通すための開口部はない。即ち、脱水槽３０はいわゆる「孔なし」タイプに形成され、洗剤を溶かした水またはすすぎ用の水（以下これらを総称して「洗濯水」という）を溜めることができる。脱水槽３０の上部開口部の縁には、洗濯物の脱水のため脱水槽３０を高速回転させたときに振動を抑制する働きをする環状のバランサ３２が装着される。脱水槽３０の底部には脱水槽３０内で洗濯水の流動を生じさせるためのパルセータ３３が回転可能に配置される。
【００３１】
水槽２０の下面には上記駆動ユニット４０が取り付けられている。駆動ユニット４０はモータ４１、モータ４１の回転出力を伝導するベルト伝導機構４２及びクラッチ・ブレーキ機構４３を含んでおり、その中心部から脱水軸４４（図２参照）が上方に突出している。
【００３２】
（脱水槽と給気構造）
図２ａ、図２ｂは洗濯機１の下部を拡大して示す断面図である。図２ａ、図２ｂに示す通り、脱水軸４４とパルセータ軸４５は二重軸構造となっており、脱水軸４４が外側に配されてパルセータ軸４５が内側に配される。脱水軸４４は水槽２０を貫通して上端を脱水槽３０の底面に取付板４４ａを介して固定され、脱水軸４４が脱水槽３０を軸支している。なお、取付板４４ａは脱水槽３０の底面に固定され、脱水槽３０を保護している。パルセータ軸４５は水槽２０及び脱水槽３０を貫通してパルセータ３３に連結され、パルセータ３３を軸支する。脱水軸４４と水槽２０との間、及び脱水軸４４とパルセータ軸４５との間には各々水もれを防ぐためのシール部材（不図示）が配置されている。
【００３３】
脱水槽３０の底面３０ａには脱水軸４４の周りに給気孔６２が同一円周上に複数設けられる。脱水槽３０の底面３０ａには前記給気孔６２をカバーする断面コ字状の給気ダクト９１（図５、図６参照）が設けられる。給気ダクト９１は回転する脱水槽３０の底面３０ａに設けられた取付板４４ａにネジで固定されている。
【００３４】
給気ダクト９１には脱水軸４４（図２ａ参照）が挿通される脱水軸孔９２ａの外周側に給気孔６２に対応して設けられた開口部９２ｃが開口している（図５参照）。また、給気ダクト９１は排水ダクト６１内に位置し、排水ダクト６１は脱水槽３０の洗濯水を排水する。つまり、給気ダクト９１は脱水軸４４の周りに形成された給気孔６２を覆って取り付けられた際、給気孔６２と給気ダクト９１の内部とが開口部９２ｃを介して連通する。これにより、脱水槽３０内の洗濯水は給気孔６２から給気ダクト９１を通り、排水ダクト６１を経由して排水弁８３を介して排水ホース６０から直接排水される。
【００３５】
図２ａ、図２ｂに示すように、給気ダクト９１と水槽２０の底部との間に形成された排水ダクト６１を構成する隔壁６１ｂの上端部６１ａは給気ダクト９１の外周面又は取付部材４４ａにパッキン６１ｂを介して圧着されている。これにより、排水ダクト６１の上端部６１ａは給気ダクト９１及び脱水槽３０に対して摺動可能に密着する。したがって、給気中の空気及び洗濯工程における洗濯水が給気ダクト９１から水槽２０側に漏れるのを防止することができる。この排水ダクト６１は排水のための流通路であり、隔壁６１ｂの下端部が脱水槽２０の底部（底面）に固定されている。これにより、隔壁６１ｂと脱水槽２０の底面とで囲われた給気ダクト９１を含む空間領域が排水ダクト６１を構成する。
【００３６】
この排水ダクト６１には可撓性のチューブから成る給気経路部材（給気パイプ）８１の一端が連通されており、エアポンプ８０と給気孔６２とが給気経路部材８１と排水ダクト６１と給気ダクト９１とからなる給気経路により連結される。したがって、排水ダクト６１は脱水槽３０の洗濯水を排水するための排水経路、及び空気を供給するための給気経路を兼用することになる。また、給気経路部材８１は、排水ダクト６１と連通する水槽２０の底部に一体に設けられている排水管２０ｂに連通している。また、この排水管２０ｂの下流側は、排水弁６３に連通しており、排水弁６３の上流である排水管２０ｂに、上記給気供給部材（給気パイプ）８１が設けられ、連通する構成である。上記給気供給部材８１の途中には空気加熱用のヒータ８１ｂが設けられている。これにより、エアポンプ８０が吐出する空気を必要に応じてヒータ８１ｂで昇温（例えば、５０℃以上）した後、給気孔６２に送出することができる。
【００３７】
排水ダクト６１は上述したように排水経路上に排水弁６３が設けられ、外箱１０の背面を貫通し、排水ホース６０が接続される。これにより、排水弁６３が開かれると、脱水槽３０内の洗濯水は給気孔６２から給気ダクト９１、排水ダクト６１及び排水ホース６０を通って排水される。また、水槽２０の底部には排水ホース６０と直接連通する上記排水管２０ｂ（図２ｂ参照）とは別に排水口２０ａが設けられている（図１参照）。これにより、水槽２０内に流出した洗濯水は排水口２０ａを介して直接、排水ホース６０へ排水される。なお、排水口２０ａは水槽２０に洗濯水が滞留しないように水槽２０の最も低い位置に配されている。
【００３８】
一方、エアポンプ８０は一般に小型で低騒音の電磁式のダイアフラムエアポンプ等が用いられる。また、このエアポンプ８０は最大で２５〜１００Ｌ／分の空気を吐出して最大３６ｋＰａの吐出圧力が得られる。エアポンプ８０を駆動すると、エアポンプ８０から吐出された空気が給気経路部材８１を介して排水ダクト６１に流入する。排水ダクト６１に流入した空気は給気ダクト９１から給気孔６２を介して脱水槽３０内に供給される。これにより、エアポンプ８０は脱水槽３０に空気を供給する空気供給器として機能する。このとき、給気ダクト９１は脱水槽３０の底面３０ａに設けられた取付板４４ａに密接するとともに給気ダクト９１の外周面に圧接して設けられたパッキン６１ｂにより、空気を水槽２０内に流通させることなく直接脱水槽３０内に給気することができる。このため、脱水槽３０への給気の流速低下を抑制することができる。
【００３９】
図３はパルセータ３３の斜視図であり、図４はパルセータ３３の中心部を拡大して示す上面図である。パルセータ３３は円盤状であり、パルセータ軸４５の先端が挿通される軸孔７６を中心に有してパルセータ軸４５に固定される。パルセータ３３の上面（表面）には放射状に配される複数（４個）の羽根部７３が突出して形成されている。洗濯時、羽根部７３はパルセータ３３の回転によって脱水槽３０内に流体である洗濯水の流れを発生させる。
【００４０】
また、パルセータ３３の軸孔７６の周囲には給気孔６２に対向配置される複数（４個の給気孔６２に対応させ４個）の貫通孔７４が設けられる。各貫通孔７４には断面が六角形や円形等の小孔を並べてハニカム状に形成された整流部材７４ａが挿嵌されている。整流部材７４ａの下端は給気孔６２の近傍まで延びて配される。なお、小孔の直径は１０ミリ以下が好ましく、約３ミリが最も好ましい。１０ミリ以下にすることにより衣類のポケットから落ちたヘアピンや小物アクセサリーが通過するのを防止することができる。
【００４１】
貫通孔７４が給気孔６２に対向配置されるため、給気孔６２から脱水槽３０に送出された空気が円滑に貫通孔７４に導かれて貫通孔７４から吹き出される。これにより、パルセータ３３の周縁と脱水槽３０の底面３０ａとの間からの空気の漏出が低減され、貫通孔７４から吹き出される空気の流速低下を抑制することができる。また、整流部材７４ａにより貫通孔７４から整流された気流が上方に吹き出され、乱流による流速低下を抑制できるとともに騒音を低減することができる。
【００４２】
図５は先に説明した洗濯乾燥機１の給気ダクト９１を上方から視た斜視図であり、図６は給気ダクト９１を下方から視た斜視図である。以下給気ダクト９１の詳細を説明する。一部、先に記載した内容と重複する。この給気ダクト９１は周壁９１ａを有する筒状体であり、一端は開口しており、他端は複数の孔が形成された上面部９２を有する。上面部９２の中央には脱水軸４４（図２参照）が挿通される脱水軸孔９２ａが設けられる。脱水軸孔９２ａの外周側には同心円状の４箇所にネジ孔９２ｂが設けられている。ネジ孔９２ｂは給気ダクト９１を脱水槽３０の底面３０ａに固定された取付板４４ａにネジ止めするために設けられている。上面部９２と脱水槽３０の底面３０ａとの間には空気漏れを防止するシール部材（不図示）が配される。
【００４３】
ネジ孔９２ｂのさらに外周側には給気孔６２（図２参照）と同じ円周上の４箇所に開口部９２ｃが設けられる。これにより、給気ダクト９１が脱水槽３０の底面３０ａに取付板４４ａを介して固定されたとき、脱水槽３０に設けられた各給気孔６２と給気ダクト９１に設けられた各開口部９２ｃとが連通する。各開口部９２ｃは上下方向に延びる周壁９２ｄを有した筒状に形成される。給気ダクト９１の内部と給気孔６２（図２参照）とは開口部９２ｃを介して連通する。
【００４４】
開口部９２ｃの下端には一端を枢支した板状の開閉弁９３が設けられる。開閉弁９３は自重により垂下して開口部９２ｃを開放し、給気ダクト９１に給気した際に気流によって開口部９２ｃを閉じる。
【００４５】
また、一つの開閉弁９３については通気孔９３ａが設けられる。給気ダクト９１に給気した際に空気は通気孔９３ａを介して給気孔６２に導かれる。このとき、通気孔９３ａは給気孔６２に導かれる気流の流路面積を減少させる絞り部を構成することになる。通気孔９３ａから成る絞り部によって流速が増加した気流を貫通孔７４（図４参照）から吹き出すことができる。本実施形態において、給気ダクト９１を設けることで、空気の流速を増加する絞り部が構成される。なお、給気ダクト９１は省略してもよい。この場合、脱水槽３０に設けられている給気孔６２を介して排水ダクト６１から脱水槽３０に直接空気を給気する。
【００４６】
＜洗濯工程＞
以上のように構成された洗濯乾燥機１において、洗濯物投入口１１ａから脱水槽３０に洗濯物が入れられ、蓋部１５が閉じられる。操作部７１により洗濯条件を選択して洗濯の開始を指示されると洗濯工程が実行される。
【００４７】
洗濯工程では排水弁６３を閉じ、給水弁（不図示）を開いて所定水位まで注水すると給水弁を閉じて洗い動作に入る。また、水道水でなく風呂水を洗濯水として利用する場合には、風呂水汲み上げポンプが駆動し、風呂水が注水される。この洗濯工程には気泡洗浄コースと併用洗浄コースとが設けられる。
【００４８】
＜気泡洗浄コース＞
気泡洗浄コースではパルセータ３３を停止するとともにヒータ８１ｂを駆動することなくエアポンプ８０を駆動して貫通孔７４から吹出された常温空気によって洗濯水中の洗濯物を撹拌して洗い動作及びすすぎ動作を行う。この場合、洗濯水には洗剤が投入さる態様又は洗剤が投入されない態様の動作がある。なお、洗剤が投入されない態様においてはすすぎ工程を一度で済ませることができる。また、併用洗浄コースではパルセータ３３及びエアポンプ８０を駆動してパルセータ３３の回転及びエアポンプ８０により吹出された空気によって洗濯物を撹拌して洗い動作及びすすぎ動作を行う。
【００４９】
具体的に気泡洗浄コースではエアポンプ８０を駆動して吐出された空気は給気経路部材８１を介して排水ダクト６１に送出される。排水ダクト６１に送出された空気は給気ダクト９１の通気孔９３ａを通って流速が増加し、給気孔６２から脱水槽３０の内部に送出される。
【００５０】
脱水槽３０内部に送出された空気はパルセータ３３に形成されている貫通孔７４に導かれ、この貫通孔７４から脱水槽３０の上方に吹き出される。これにより、洗濯物が貫通孔７４から吹き出された気泡によって上昇し、気泡が抜けると降下して攪拌される。このとき、洗濯物が気泡により十分攪拌されるようにエアポンプ８０の吐出流量を大きくしている（例えば、１５Ｌ／分）。これにより、傷みやすい化繊等の洗濯物に対して捻り動作を加えずに気泡により攪拌して洗浄することができる。従って、洗濯物の傷みを抑制することができる。また、貫通孔７４から吹出される気泡は洗濯物に衝突し洗濯物に対してたたき洗いのような機械的動作が働く。これにより、洗濯物が気泡と衝突して弾けたときの衝撃により、上述したたたき洗いが行われ、高い洗浄力を維持することができる。
【００５１】
なお、気泡洗浄コースにおいて、貫通孔７４から吹き出される気泡が洗濯物に溜まり、浮力によって洗濯物が降下せずに攪拌が不十分になる場合がある。このため、気泡洗浄コースの開始後にパルセータ３３を所定の時間間隔で一時的に低回転させてもよい（例えば、１分間隔で２秒間６０ｒｐｍ）。これにより、洗濯物に溜まった気泡をパルセータ３３による周方向の水流によって排出し、洗濯物を降下させて攪拌させることができる。従って、洗浄力の低下を防止することができる。
【００５２】
なお、パルセータ３３が回転することで、給気孔６２とパルセータ３３の貫通孔７４の対応関係がずれることになるが、９０度程度回転する毎に対応する位置関係となっているので、パルセータ３３の回転を停止する場合には、貫通孔７４と給気孔６２とが対応する位置関係を維持できるように停止することが可能である。対応する位置関係は、完全に両者が一致する一対一（１００％）の関係である必要はなく、給気孔６２からの気泡が半分以上、好適には６０％以上、貫通孔７４を通過できる程度でよい。残りは他の貫通孔７４を介して脱水槽３０へと送出される。そのため、実質的に殆んどが、給気孔６２からの気泡それぞれの貫通孔７４より送出される。
【００５３】
＜併用洗浄コース＞
一方、併用洗浄コースではモータ４１の動力をベルト伝動機構４２、パルセータ軸４５を通じてパルセータ３３に伝達し、パルセータ３３を右回転・左回転交互に動作させる。パルセータ３３の動作に応じて、脱水槽３０内の洗濯物と洗濯水が撹拌され、洗濯物の洗浄が進行する。
【００５４】
パルセータ３３が回転すると、周方向に水流が発生する。また、エアポンプ８０の駆動により吐出された空気は回転するパルセータ３３の貫通孔７４を介して大部分が脱水槽３０の底部から上方に吹出して洗濯物に衝突する。したがって、洗濯物には周方向の水流である回転水流によるねじりの動作が働くとともに気泡の衝突による機械的動作が同時に働く。これにより、洗濯物の洗浄効果が向上する。また、パルセータ３３の回転により細かく砕かれた気泡と洗濯水中に溶けた洗剤によって形成された濃縮泡沫が洗濯物に付着することで、洗濯物の洗浄効果が向上する。
【００５５】
また、併用洗浄コースの開始時にパルセータ３３を駆動して所定時間経過した後にエアポンプ８０を駆動することが好ましい。パルセータ３３の回転により、所定水位まで注水されて水面に浮かんだ洗濯物がほぐされて降下する。仮に、パルセータ３３の回転による洗い動作が開始する前に脱水槽３０の底部に沈んだ洗濯物を気泡で浮かしてしまうと、洗濯物にパルセータ３３による機械的動作が伝わりにくくなる。なお、エアポンプ８０の駆動を間欠的に行い、洗濯物の浮力を調節してもよい。
【００５６】
気泡洗浄コース又は併用洗浄コースの洗い動作を開始して所定時間が経過するとエアポンプ８０及びパルセータ３３を停止して排水弁６３が開かれる。これにより、脱水槽３０内の水が給気孔６２及び開口部９２ｃを介して給気ダクト９１を通り、排水ダクト６１を通って排水ホース６０に排水される。このとき、給気ダクト９１の開口部９２ｃに設けられている開閉弁９３は、自重によりより開放されるため、脱水槽３０内の洗濯水の排水を妨げることなく、効率よく排水することができる。
【００５７】
＜脱水工程＞
次に、クラッチ・ブレーキ機構４３により脱水軸４４がモータ４１に連結される。これにより、モータ４１の駆動によって脱水槽３０が高速回転して脱水動作が行われる。脱水槽３０の高速回転によって洗濯物から飛散した水は脱水孔３１を介して水槽２０へと導かれ、水槽２０の底部に設けられた排水口２０ａを経由して排水ホース６０から排水される。なお、給気孔６２から流出する洗濯水は給気ダクト９１を経由して排水ダクト６１に導かれ、開放された排水弁６３から排水ホース６０を通って排水される。
【００５８】
脱水動作を開始して所定時間が経過するとモータ４１が停止され、排水弁６３を閉じて給水弁（不図示）が開かれる。脱水槽３０に所定量の水が溜まると給水弁（不図示）が閉じられる。次に、洗い動作と同様に、気泡洗浄コース、併用洗浄コースに応じてすすぎ動作が行われる。
【００５９】
すすぎ動作を開始して所定時間が経過すると上記の脱水動作が再度行われる。そして、脱水動作を所定時間行われると、洗濯・脱水工程が終了する。
【００６０】
＜乾燥工程＞
以上洗濯、すすぎ、脱水の一連動作の洗濯工程が終了すれば、洗濯が終了する。この洗濯工程に加えて、乾燥が選択されていれば、以下に説明する乾燥工程が実行される。
＜併用乾燥コース＞
乾燥工程には併用乾燥コースと底風乾燥コースがある。併用乾燥コースはエアポンプ８０による空気供給と乾燥ユニット５０による温風送風の併用により行われる。ここで、乾燥ユニット５０による乾燥工程には内気循環期間と外気導入期間とが設けられる。内気循環期間は吹出ダクト５４と外気とを連通する外気導入ダクト５５を遮断して吹出ダクト５４内の送風機（不図示）及びヒータ（不図示）を駆動する。これにより、吹出ダクト５４を介して水槽２０内の空気が循環する。外気導入期間は外気導入ダクト５５を外気に対して開放し、吹出ダクト５４内の送風機（不図示）及びヒータ（不図示）を駆動する。これにより、外気導入ダクト５５から流入した外気は吹出ダクト５４内で昇温されて水槽２０内に送出されるとともに水槽２０内の空気は排気ダクト５３から排気される。
【００６１】
具体的には乾燥工程が開始されると送風機の駆動によって内気循環期間で水槽２０内の空気が吸込口５１を介して吹出ダクト５４に流入する。吹出ダクト５４に流入した空気はヒータで昇温され、吹出口５１ｄから脱水槽３０内に送出される。これにより、脱水槽３０内の空気が昇温される。
【００６２】
内気循環期間では温風が洗濯乾燥機１の外に出ないため、熱が水槽２０の内部に閉じこめられる。また、脱水槽３０は孔なしタイプであるため、脱水槽３０から外に漏れる空気量が少なく、脱水槽３０と水槽２０の間の空間は空気が殆ど対流しない。このため、空気が対流して循環する空間がほぼ脱水槽３０の内部に限定され、対流と循環が効率良く進められ、脱水槽３０内の温度が速やかに上昇する。
【００６３】
この時、洗濯物からの水の蒸発は５０℃以上で活発になるため、内気循環期間で脱水槽３０内を５０℃以上まで上昇させる。なお、水槽２０内は温度上昇によって圧力が上昇するため、一部の空気は排気ダクト５３を介して外部に排気される。
【００６４】
脱水槽３０の内部の温度が上昇すると洗濯物から水分が蒸発し、水槽２０内の内気循環の空気は水分を多く含む。このため、脱水槽３０の内部温度が所定値まで上昇したことを検知すると、外気導入期間に切り替えられる。
【００６５】
なお、脱水槽３０内の空気が全て排気ダクト５３から排出される訳ではなく、一部は吸込口５１を介して吹出ダクト５４を循環する。これにより、脱水槽３０の内部の高温状態を維持して洗濯物からの水分蒸発率を高く保つことができる。
【００６６】
また、内気循環期間及び外気循環期間においてエアポンプ８０も駆動される。エアポンプ８０の駆動により、水槽２０と外箱１０との間に漏れた温風を含む空気がエアポンプ８０及び給気経路部材８１を介して脱水槽３０の下部に設けられた給気孔６２から脱水槽３０の内部に吹出される。
【００６７】
具体的には、内気循環期間及び外気循環期間において、外箱１０と水槽２０の間の空間には昇温した空気の一部が漏れており、この空気をエアポンプ８０が給気して所定圧力で吐出する。吐出された空気は給気経路部材８１を介して排水ダクト６１に送出される。排水ダクト６１に送出された空気は給気ダクト９１の通気孔９３ａを通って、給気孔６２から脱水槽３０の内部に送出される。なお、ヒータ８１ｂを駆動することにより排水ダクト６１に送出される空気をさらに昇温することができる。これにより、ヒータ８１ｂにより昇温される空気の温度を調節して脱水槽３０の底部に溜まった洗濯物に対して乾燥ユニット５０から送風される温風と同じ温度の温風を吹き出すことができる。
【００６８】
脱水槽３０内部に送出された空気は主に貫通孔７４に導かれて貫通孔７４から脱水槽３０の上方に吹き出される。これにより、脱水槽３０の底部に溜まった脱水後の洗濯物は脱水槽３０から浮き上がって脱水槽３０との間に空気通路が形成される。この空気通路を昇温した空気が通過して洗濯物の裏面は乾燥（裏面乾燥）が促される。また、洗濯物自体が空気通路を流れる気流により振動して乾燥が促進される。また、貫通孔７４から吹出された空気の一部は洗濯物の裏面を乾燥させると同時に洗濯物の布目を通過して表面側に吹き出す。これにより、洗濯物の内部も乾燥（内部乾燥）が促される。従って、吹出口５１ｄから洗濯物表面に吹き付けられる温風による表面の乾燥と、給気孔６２から噴出される空気による洗濯物の裏面乾燥、さらに内部乾燥との相乗効果で洗濯物の乾燥効率が向上する。また、洗濯物の乾燥度合の差が低減される。また、気流による振動が洗濯物に加わるので更に乾燥が効果的に行われる。なお、洗濯物の乾燥を促進するためにエアポンプ８０の吐出流量を大きくしている（例えば、１５Ｌ／分）。
【００６９】
なお、給気孔６２からの空気を間欠的に吹出してもよい。これにより、給気孔６２から吹出す空気圧が高い場合、吹出口５１ｄから下方に送出された空気と給気孔６２から上方に送出された空気が脱水槽３０内で衝突して乱流が発生するのを防止することができる。また、乾燥工程において洗濯物に温風が均等に当たるように、脱水槽３０を脱水時の回転数よりも低い回転数で間欠的に回転せてもよい。また、パルセータ３３を間欠的に回転させてもよい。なお、洗濯物をハンガー１５ａに吊るして乾燥を行う場合においても、貫通孔７４から脱水槽３０の上方に温風を吹き出すことにより、洗濯物の下部の乾燥を促進することができる。
【００７０】
また、洗濯物が少量である場合、エアポンプ８０の吐出流量を大きくして貫通孔７４から吹出す空気の気圧を上昇させることにより、洗濯物を脱水槽３０内でタンブルさせることができる。これにより、洗濯物の下面と上面に均等に温風が当たり、洗濯物をムラなく乾燥することができる。
【００７１】
＜底風乾燥コース＞
底風乾燥コースは乾燥ユニット５０による温風送風を行わず、エアポンプ８０による空気供給のみで乾燥が行われる。この底風乾燥コースはランジェリーのような洗濯物や少量の洗濯物に対して行われることが好ましい。底風乾燥コースにおいて乾燥工程が開始されるとエアポンプ８０及びヒータ８０ｂが駆動して脱水槽３０の底部に設けられた給気孔６２から温風が吹出す。これにより、脱水工程により遠心力で脱水槽３０に張り付いた洗濯物は脱水槽３０或いはパルセータ３３側の面から浮き上がりほぐされる。これにより、ランジェリー等の洗濯物の表面積が広がり、裏面及び布目を通過する空気により、洗濯物の表裏面の乾燥度合いにあまり差が生じることなく効果的に乾燥を行うことができる。特に、エアポンプ８０の吐出圧力を高めることにより、下方からの空気圧により、洗濯物をよりほぐしながら下部の乾燥を促進することができる。
【００７２】
また、脱水槽３０底部から吹き出した温風は鉛直部１６ａの排気口（不図示）を介して排気ダクト５３から排出される。なお、鉛直部１６ａに前面吸込口（図示せず）を設けるとともに前面吸込口とエアポンプ８０とを連通する循環路（不図示）を設けてもよい。これにより、脱水槽３０底部から吹出した温風は前面吸込口に流入し、循環路を通ってエアポンプ８０で回収された後、再びエアポンプ８０によって脱水槽３０の底部に送られる。これにより、温風を効率的に利用して消費電力を抑えることができる。
【００７３】
なお、高温に弱い繊維を用いた洗濯物を乾燥する場合、ヒータ８１ｂを駆動しないでエアポンプ８０のみを駆動して乾燥を行ってもよい。この場合、乾燥工程が開始されると常温の空気が脱水槽３０の底部に設けられた給気孔６２から上方に吹出す。これにより、洗濯物は高温に曝されることなく効果的に乾燥される。
【００７４】
（本実施形態における作用および効果）
本実施形態によると、ヒータで昇温した空気を脱水槽３０に供給して行う乾燥工程において、エアポンプ８０（空気供給器）を駆動して空気を脱水槽３０の底部に設けられた給気孔６２から吹出すことにより、脱水槽３０或いはパルセータ３３に張り付いた洗濯物は給気孔から吹出す空気により脱水槽３０から浮き上がるとともにその気流により振動する。したがって、洗濯物は表裏面ともにエアポンプ８０から供給される空気に接して乾燥が促されるため表裏面の乾燥度合いの差が低減されながら乾燥が促される。なお、給気孔から吹出す空気は常温であっても送風による乾燥が促される。
【００７５】
また、脱水槽３０の上方に臨んで開口する吹出口５１ｄから導出して送風機（不図示）及びヒータ（不図示）が配される吹出ダクト５４を備え、乾燥工程において送風機及びヒータの駆動により昇温した空気を吹出口５１ｄから脱水槽３０に吹出すことにより、吹出口５１ｄから洗濯物表面に吹き付けられる温風による表面乾燥と、給気孔６２から噴出される空気による洗濯物の裏面乾燥と内部乾燥との相乗効果で洗濯物の乾燥効率が向上する。また、洗濯物の乾燥度合の差が低減される。
【００７６】
以下にエアポンプ８０を用いて洗濯を行う場合の作用、および効果を明記する。洗濯工程において、エアポンプ８０を駆動して給気孔６２から上方に空気を吹出すことにより、脱水槽３０内の洗濯物は気泡によって攪拌されるとともに気泡の衝突によるたたき洗いが行われる。これにより、傷みやすい化繊等の洗濯物に対して気泡により攪拌して洗浄することができる。また、パルセータ３３による撹拌動作を用いることなく気泡のみで洗濯物を洗浄するコース（気泡洗浄コース）を選択することもできる。
【００７７】
また、パルセータ３３及びエアポンプ８０を駆動してパルセータ３３の回転及びエアポンプ８０により吹出された空気によって洗濯物を撹拌することにより、パルセータ３３の回転によって脱水槽３０内に回転方向の流体の流れが発生する。この洗濯方法によると、洗濯物が気泡による上下方向の攪拌動作とパルセータ３３による周方向の捻り動作により洗浄されるとともに、気泡の衝突によるたたき洗いが行われる。したがって、洗浄効果が向上する。また、パルセータ３３の回転により細かく砕かれた気泡と水中に溶けた洗剤により、濃縮泡沫が形成される。上記濃縮泡沫が洗濯物に付着することで、洗濯物の洗浄効果をより向上させることができる。
【００７８】
また、脱水槽３０の排水が給気孔６２を通って行われるとともに給気孔６２を覆って脱水槽３０の底面に対して密接する排水ダクト６１を備え、排水ダクト６１とエアポンプ（空気供給器）８０とが給気経路部材８１を介して連結される。これにより、エアポンプ８０によって吐出された空気が給気経路部材８１及び排水ダクト６１を経由して給気孔６２から脱水槽３０内に直接供給される。供給された空気は脱水槽３０内において送気圧力に基づく気泡となって吹き出される。
【００７９】
また、排水ダクト６１内に給気孔６２に導かれる気流の流路面積を減少させる絞り部を設けたことにより、絞り部によって流速が増加した気流を脱水槽３０に送出することができる。
【００８０】
また、パルセータ３３は給気孔６２を覆って設けられるとともに給気孔６２に対応する位置に貫通孔７４が形成されたことにより、給気孔６２から脱水槽３０に送出された空気が円滑に貫通孔７４に導かれて貫通孔７４から吹き出される。これにより、パルセータ３３の周縁と脱水槽３０の底面３０ａとの間からの空気の漏出が低減され、貫通孔７４から吹き出される空気の流速低下を抑制することができる。
【００８１】
[第２実施形態]
図７は第２実施形態に係る洗濯乾燥機の概略側面断面図である。なお、第１実施形態と同一部分は同一符号を付して説明を省略する。第２実施形態ではエアポンプ８０と排水ダクト６１とを連結する給気経路部材８１にヒータ８１ｂが設けられていない。これにより、ヒータ８１ｂを省略して洗濯乾燥機１の製造コストの削減を図ることができる。
【００８２】
[第３実施形態]
図８は第３実施形態に係る洗濯乾燥機の概略側面断面図である。なお、第１実施形態と同一部分は同一符号を付して説明を省略する。第１実施形態に対して第３実施形態では吹出ダクト５４から分岐した分岐部材５４ａが給気経路部材８１と連結している。また、分岐部材５４ａと給気経路部材８１とはベンチュリ管５４ｂを介して接続している。図９はベンチュリ管５４ｂを拡大して示す概略図であり、ベンチュリ管５４ｂ内において、給気経路部材８１の先端は気流（矢印Ａ）の流路面積を減少させる絞り部８１ａが形成されている。これにより、エアポンプ８０からの圧縮された空気が給気経路部材８１からベンチュリ管５４ｂを通過したとき、管内の流量が絞られて圧力が低下するため、分岐部材５４ａからの空気（矢印Ｂ）が排水ダクト６１側へ吸い込まれてエアポンプ８０からの圧縮された空気と合流する（矢印Ｃ）。
【００８３】
これにより、エアポンプ（空気供給器）８０が吐出する空気は給気経路部材８１を介して排水ダクト６１に流入するとともに吹出ダクト５４内を循環する温風の一部が分岐部材５４ａからベンチュリ管５４ｂを介して排水ダクト６１に流入する。排水ダクト６１に流入した温風は給気ダクト９１を通って給気孔６２から脱水槽３０内に供給される。
【００８４】
したがって、ヒータの駆動により昇温した空気を吹出ダクト５４から分岐させてエアポンプ８０の送気圧力によりベンチュリ効果を利用して送出するこができる。これにより、吹出ダクト５４から分岐した温風を直接、給気孔６２から脱水槽３０に送出することができる。このため、洗濯物に対して洗濯物の下方からヒータにより昇温した温度の高い空気が吹き付けられて洗濯物下部の乾燥が促進される。これにより、効率よく洗濯物をより乾燥させることができる。また、第２実施形態のように給気経路部材８１にヒータ８１ｂを設ける必要がないため、洗濯乾燥機１の製造コストの削減を図ることができる。
【００８５】
なお、底風乾燥コースの場合、吹出ダクト５４の分岐部材５４ａからは送風がないが、エアポンプ８０を駆動することにより、絞り部８１ａから排水ダクト６１に常温空気を供給して脱水槽３０の底部から常温空気を吹き出して洗濯物の乾燥を行うことができる。なお、洗濯工程においても吹出ダクト５４の分岐部材５４ａからは送風がないが、エアポンプ８０を駆動することにより、絞り部８１ａから排水ダクト６１に空気を供給して気泡洗浄を行うことができる。
【００８６】
[第４実施形態]
図１０は第４実施形態に係る洗濯乾燥機の概略側面断面図である。なお、第１実施形態と同一部分は同一符号を付して説明を省略する。第４実施形態では第１実施形態の乾燥ユニット５０、エアポンプ８０に代えて、外箱１０の下部に洗濯物を乾燥させるためのヒータポンプ８５が設けられている。また、ヒータポンプ８５は送風ダクト８４内にエアポンプ（不図示）及びヒータ（不図示）が配されている。なお、ヒータポンプ８５内のエアポンプ（不図示）が本発明の空気供給器の一例である。エアポンプの上流には外気に連通する外気導入ダクト５５が連結される。また、エアポンプの下流は給気弁８６を介して排水ダクト６１に連結されている。
【００８７】
このヒータポンプ８５は乾燥工程において、給気弁８６が開き、排水弁６３は閉じられてヒータ及びエアポンプが駆動される。これにより、昇温した空気が給気ダクト８４から排水ダクト６１に流入し、給気ダクト９１を通って給気孔６２から脱水槽３０内に供給される。脱水槽３０内に供給された空気は脱水後の洗濯物を乾燥させた後、上昇して排気口５１ｂから外気に開放された排気ダクト５３に排出される。
【００８８】
即ち、給気孔６２から吹出した温風は脱水後の洗濯物を脱水槽３０から浮き上がらせて既述の動作で洗濯物を乾燥させる。洗濯物は底面及び内部を通過して表面側に抜ける温風により乾燥されるので、表裏面の乾燥度合の差が低減される上、洗濯物自体が振動する機械的な動きとも相俟って乾燥が更に促進される。これにより、脱水槽３０の底部に設けられた給気孔６２からの温風のみで洗濯物を下部から乾燥することができる。なお、乾燥工程において給気弁８６が開く一方、排水弁６３は閉じられることにより、排気弁６３を介してヒータポンプ８５からの温風が抜けるのを防止することができる。これにより、パルセータ３３下部から効率よく温風を脱水槽３０へと送り込むことができる。また、排水時には吸気弁８６を閉じ、排水弁６３を開くことで、排水時にヒータポンプ８４に水が浸入するのを防止できる。
【００８９】
[第５実施形態]
図１１は第５実施形態に係る洗濯乾燥機の概略側面断面図である。なお、第１実施形態と同一部分は同一符号を付して説明を省略する。第４実施形態では第３実施形態の乾燥ユニット５０の送風ダクト８４から分岐する分岐ダクト８４ａを設ける。この分岐ダクト８４ａの他端が脱水槽３０の上方に臨んで開口する吹出口５１ｄと連結している。これにより、ヒータポンプ８５のヒータ及び送風機を駆動することにより、昇温した空気を脱水槽３０内の上方及び下方から効率よく送り込み、洗濯物をより効率よく乾燥させることができる。
【産業上の利用可能性】
【００９０】
本発明は洗濯乾燥機に利用することができる。
【符号の説明】
【００９１】
１    洗濯乾燥機
１０    外箱
１１    上面板
１１ａ  洗濯物投入口
１５    蓋部
１５ａ  ハンガーフック
１６    延設部
１６ａ  鉛直部
１６ｂ  水平部
２０    水槽
３０    脱水槽
３０ａ  底面
３０ｂ  周壁
３１    脱水孔
３２    バランサ
３３    パルセータ
４０    駆動ユニット
４１    モータ
４２    ベルト伝導機構
４３    クラッチ・ブレーキ機構
４４    脱水軸
４５    パルセータ軸
５１    吸込口
５１ｄ  吹出口
５３    排気ダクト
５４    吹出ダクト
５５    外気導入ダクト
６０    排水ホース
６１    排水ダクト
６２    給気孔
６３    排水弁
７１    操作部
７３    羽根部
７４    貫通孔
７４ａ  整流部材
７６    軸孔
８０    エアポンプ
８１    給気経路部材
８４    送風ダクト
８４ａ  分岐ダクト
８５    ヒータポンプ
８６    給気弁
９１    給気ダクト
９１ａ  周壁
９２    上面部
９２ａ  脱水軸孔
９２ｂ  ネジ孔
９２ｃ  開口部
９２ｄ  周壁
９３    開閉弁
９３ａ  通気孔
【図４】
2014188347.tif 000003
【図５】
2014188347.tif 000004
【図６】
2014188347.tif 000005
【図９】
2014188347.tif 000006
【図１】
2014188347.tif 000007
【図２ａ】
2014188347.tif 000008
【図２ｂ】
2014188347.tif 000009
【図３】
2014188347.tif 000010
【図７】
2014188347.tif 000011
【図８】
2014188347.tif 000012
【図１０】
2014188347.tif 000013
【図１１】
2014188347.tif 000014
【図１２】
2014188347.tif 000015
【図１３】
2014188347.tif 000016